(57)【要約】【課題】インキの色合い決定作業におけるプロファイルの利用を支援するプロファイル利用支援装置を提供する。【解決手段】プロファイル群の中から任意に選択された第１のプロファイルを適用して再現される色と、第１のプロファイルを除いた第２のプロファイルを適用して再現される色との、色差を算出し、算出した色差に応じて第２のプロファイルを整列し、整列された並び順に、第２のプロファイルの識別情報としてのファイル名を検索結果表示画面に表示する。そして、検索結果表示画面から選択された第２のプロファイルを適用して画像を表示する。【選択図】図７
2011254559.tif 000002
【特許請求の範囲】
【請求項１】
インキの色合い決定作業におけるプロファイルの利用を支援する装置であって、
前記プロファイルを保持するプロファイル保持手段と、
前記プロファイル保持手段で保持されたプロファイル群の中から任意に選択されたプロファイルを適用して再現される色玉を表示する色玉表示手段と、
を具備することを特徴とするプロファイル利用支援装置。
【請求項２】
前記色玉表示手段で表示された前記色玉が選択されると、対応する前記プロファイルを適用して任意の画像を表示する第１の画像表示手段、を更に具備することを特徴とする請求項１に記載のプロファイル利用支援装置。
【請求項３】
インキの色合い決定作業におけるプロファイルの利用を支援する方法であって、
前記プロファイルを保持するステップと、
前記プロファイルを保持するステップで保持されたプロファイル群の中から任意に選択されたプロファイルを適用して再現される色玉を表示するステップと、
を含むことを特徴とするプロファイル利用支援方法。
【請求項４】
前記色玉を表示するステップで表示された前記色玉が選択されると、対応する前記プロファイルを適用して任意の画像を表示するステップ、を更に含むことを特徴とする請求項３に記載のプロファイル利用支援方法。
【請求項５】
コンピュータを請求項１または請求項２に記載のプロファイル利用支援装置として機能させるプログラム。
【発明の詳細な説明】
【技術分野】
【０００１】
本発明は、印刷に使用するインキの色合いを決定する作業に関し、特にプロファイルの利用を支援するプロファイル利用支援装置、プロファイル利用支援方法、プログラムに関する。
【背景技術】
【０００２】
建材等の印刷は、一般に、グラビア印刷方式で行われる。ここで、雑誌等のグラビア印刷では、シアン、マゼンタ、イエロー、ブラックといったプロセスカラーと呼ばれる４色のインキを用いるのが普通であるが、建材等のグラビア印刷では、目的や用途に適したインキが用いられる。これは、求められる物性 (接着性や耐候性等) に合ったものを使用するためでもあるが、プロセスカラーでは表現しにくい色調を出すためでもある。そのため、建材等の印刷作業では、インキの色合いを決定する工程が重要となる。
【０００３】
こうした作業の中で、例えば、グラビア印刷等による印刷物と類似した色調を持ったデジタル出力を必要とする場合がある。このような場合、レタッチ作業により、対象とする印刷物とコンピュータの画面を見比べながら、色調を合わせる作業が一般的である。しかし、レタッチ作業は熟練者が行う必要があり、負荷が高い作業である。一方、別の方法として、対象とする印刷物から採取した測色値をもとにしたプロファイルを作成し、プロファイルを活用することで、印刷物と整合性の高いデジタル出力を得ることができる。ここで、プロファイルとは、色変換における辞書に相当する情報である。特に、ＩＣＣ（Ｉｎｔｅｒｎａｔｉｏｎａｌ  Ｃｏｌｏｒ  Ｃｏｎｓｏｒｔｉｕｍ）規格準拠のプロファイルは、ＩＣＣプロファイルと呼ばれる。本発明者らは、特許文献１に開示されているように、プロファイルを用いて色合い決定作業の負担を軽減する仕組みを提案している。特許文献１に開示された発明によって、色合い決定作業の負担が大幅に軽減された。
【先行技術文献】
【特許文献】
【０００４】
【特許文献１】特開２００６−１８７９６４号公報
【発明の概要】
【発明が解決しようとする課題】
【０００５】
しかしながら、多数のプロファイルが作成された場合、その中から所望のプロファイルを選択する際、一つ一つのプロファイルを画像に適用して確認する必要があった。また、同時に複数のプロファイルを適用した画像を画面に表示できなかったため、画面上で比較して検討することが困難であった。
【０００６】
本発明は、前述した問題点に鑑みてなされたもので、その目的はインキの色合い決定作業におけるプロファイルの利用を支援するプロファイル利用支援装置を提供することである。
【課題を解決するための手段】
【０００７】
前述した目的を達成するために第１の発明は、インキの色合い決定作業におけるプロファイルの利用を支援する装置であって、前記プロファイルを保持するプロファイル保持手段と、前記プロファイル保持手段で保持されたプロファイル群の中から任意に選択されたプロファイルを適用して再現される色玉を表示する色玉表示手段と、を具備することを特徴とするプロファイル利用支援装置である。
更に、前記色玉表示手段で表示された前記色玉が選択されると、対応する前記プロファイルを適用して任意の画像を表示する第１の画像表示手段、を具備することが望ましい。
【０００８】
第２の発明は、インキの色合い決定作業におけるプロファイルの利用を支援する方法であって、前記プロファイルを保持するステップと、前記プロファイルを保持するステップで保持されたプロファイル群の中から任意に選択されたプロファイルを適用して再現される色玉を表示するステップと、を含むことを特徴とするプロファイル利用支援方法である。
更に、前記色玉を表示するステップで表示された前記色玉が選択されると、対応する前記プロファイルを適用して任意の画像を表示するステップ、を含むことが望ましい。
【０００９】
第３の発明は、コンピュータを第１の発明のプロファイル利用支援装置として機能させるプログラムである。
【発明の効果】
【００１０】
本発明により、インキの色合い決定作業におけるプロファイルの利用を支援するプロファイル利用支援装置を提供することができる。特に、作業者は容易に所望のプロファイルを選択することができる。また、作業者は複数のプロファイルを適用した画像を画面上で比較検討することができる。
【図面の簡単な説明】
【００１１】
【図１】プロファイル利用支援装置１を実現するコンピュータのハードウェア構成図
【図２】プロファイル利用支援装置１の概略構成図
【図３】プロファイル利用支援装置１の処理手順を示すフローチャート
【図４】プロファイル選択画面５１の一例を示す図
【図５】プロファイル詳細情報表示画面６７の一例を示す図
【図６】プロファイル利用支援装置１ａの概略構成図
【図７】プロファイル利用支援装置１ａの処理手順を示すフローチャート
【図８】検索条件入力画面５７の一例を示す図
【図９】色差算出の一例を示す模式図
【図１０】プロファイル利用支援装置１ｂの概略構成図
【図１１】プロファイル利用支援装置１ｂの処理手順を示すフローチャート
【図１２】検索条件入力画面５７の一例を示す図
【図１３】検索条件入力画面５７の一例を示す図
【図１４】第２のプロファイルの抽出範囲８３の一例を示す模式図
【図１５】第２のプロファイルの抽出範囲８３の一例を示す模式図
【図１６】プロファイル利用支援装置１ｃの概略構成図
【図１７】プロファイル利用支援装置１ｃの処理手順を示すフローチャート
【図１８】色玉表示画面７５の一例を示す図
【図１９】プロファイル利用支援装置１ｄの概略構成図
【図２０】プロファイル利用支援装置１ｄの処理手順を示すフローチャート
【発明を実施するための形態】
【００１２】
以下図面に基づいて、本発明の実施形態を詳細に説明する。
【００１３】
第１の実施形態を詳細に説明する。
図１は、本実施の形態に係るプロファイル利用支援装置１を実現するコンピュータのハードウェア構成図である。
プロファイル利用支援装置１は、制御部３、記憶部５、メディア入出力部７、通信制御部９、入力部１１、表示部１３、周辺機器Ｉ／Ｆ部１５等が、バス１７を介して接続される。
【００１４】
制御部３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００１５】
ＣＰＵは、記憶部５、ＲＯＭ、記録媒体等に格納されるプログラムをＲＡＭ上のワークメモリ領域に呼び出して実行し、バス１７を介して接続された各装置を駆動制御し、プロファイル利用支援装置１が行う後述する処理（図３参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部５、ＲＯＭ、記録媒体等からロードしたプログラム、データ等を一時的に保持するとともに、制御部３が各種処理を行う為に使用するワークエリアを備える。
【００１６】
記憶部５は、ＨＤＤ（ハードディスクドライブ）であり、制御部３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部３により必要に応じて読み出されてＲＡＭに移され、ＣＰＵに読み出されて各種の手段として実行される。
【００１７】
メディア入出力部７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００１８】
通信制御部９は、通信制御装置、通信ポート等を有し、コンピュータとネットワーク１９間の通信を媒介する通信インタフェースであり、ネットワーク１９を介して、他のコンピュータ間との通信制御を行う。
【００１９】
入力部１１は、データの入力を行い、例えば、キーボード、マウス等のポインティングデバイス、テンキー等の入力装置を有する。
入力部１１を介して、コンピュータに対して、操作指示、動作指示、データ入力等を行うことができる。
【００２０】
表示部１３は、ＣＲＴモニタ、液晶パネル等のディスプレイ装置、ディスプレイ装置と連携してコンピュータのビデオ機能を実現するための論理回路等（ビデオアダプタ等）を有する。
【００２１】
周辺機器Ｉ／Ｆ（インタフェース）部１５は、コンピュータに周辺機器を接続させるためのポートであり、周辺機器Ｉ／Ｆ部１５を介してコンピュータは周辺機器とのデータの送受信を行う。周辺機器Ｉ／Ｆ部１５は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００２２】
バス１７は、各装置間の制御信号、データ信号等の授受を媒介する経路である。
【００２３】
次に、図２を参照しながら、プロファイル利用支援装置１の構成について説明する。
図２は、プロファイル利用支援装置１の概略構成図である。
【００２４】
プロファイル利用支援装置１は、プロファイルデータベース２１、プロファイル選択画面表示手段２３、選択情報入力手段２５、文字列検索手段２６、識別情報表示手段３１、第１の画像表示手段３３等を備える。
【００２５】
プロファイル保持手段としてのプロファイルデータベース２１は、複数のプロファイル情報を保持する。プロファイル情報は、例えば、グラビア印刷に用いたインキの組み合わせの測色値等を基に作成された情報である。ここで測色値は、標準的な色空間（Ｌ*ａ*ｂ*）で表されているものとする。上記色空間（Ｌ*ａ*ｂ*）は、ＣＩＥ（Ｃｏｍｍｉｓｓｉｏｎ  Ｉｎｔｅｒｎａｔｉｏｎａｌｅ  ｄｅ  Ｌ‘ｅｃｌａｉｒａｇｅ：国際照明委員会）が１９７６年に提案したＣＩＥ１９７６Ｌ*ａ*ｂ*と呼ばれる色度図であり、彩度と色相をａ*軸（赤〜緑）、ｂ*軸（青〜黄）という２つのパラメータで表し、それに明度のＬ*軸のパラメータを加えて色を定義する。以下、Ｌ*値、ａ*値、ｂ*値を区別しない場合にはパラメータ値と呼び、３つの値の組を色空間パラメータと呼ぶこととする。
尚、プロファイルデータベース２１は、図２ではプロファイル利用支援装置１の内部に存在するものと図示しているが、プロファイル利用支援装置１の外部に格納されていても構わない。その場合、プロファイル利用支援装置１は、図１のネットワーク１９を介して、プロファイルデータベース２１を参照する。
【００２６】
プロファイル選択画面表示手段２３は、プロファイルデータベース２１を参照し、プロファイル選択画面を表示する。プロファイル選択画面の詳細は、図４、図５の説明にて後述する。
【００２７】
選択情報入力手段２５は、プロファイル選択画面における選択情報を入力する。ここで、選択情報とは、プロファイル選択画面に配置されるボタンの押下情報、テキストボックス内の文字情報等を全て含むものとする。データの入力は、入力部１１を介して、対話処理にて行う。
【００２８】
文字列検索手段２６は、任意に入力された文字列を用いて前記プロファイルの検索を行う。詳細は、図４の説明にて後述する。
【００２９】
識別情報表示手段３１は、第２のプロファイルの識別情報をプロファイル選択画面に表示する。識別情報は、例えば、ファイル名等である。
【００３０】
第１の画像表示手段３３は、選択された識別情報に対応するプロファイルを適用して任意の画像を表示する。なお、プロファイルを適用した画像表示の仕組みは既知であるため、詳細な説明を省略する。
【００３１】
次に、図３から図５を参照しながら、プロファイル利用支援装置１の動作の詳細について説明する。
【００３２】
図３は、プロファイル利用支援装置１の処理手順を示すフローチャートである。
図４は、プロファイル選択画面５１の一例を示す図である。
図５は、プロファイル詳細情報表示画面６７の一例を示す図である。
【００３３】
図３に示すように、入力部１１を介して、プロファイル選択画面５１の表示命令情報が入力されると、制御部３は、プロファイル選択画面５１を表示する（ステップ９１）。
【００３４】
図４に示すように、プロファイル選択画面５１には、画像ファイル名５３、検索結果表示画面５５、検索条件入力画面５７等が表示される。
画像ファイル名５３は、プロファイルの適用対象となる画像のファイル名である。
【００３５】
検索結果表示画面５５は、プロファイルの検索結果を表示する画面である。表示項目は、プロファイルのファイル名、作成日、コメント、拡張コメント（図示せず）等である。コメントと拡張コメントは、ファイルを作成する際、作業者が任意に入力できる文字情報である。作業者は、入力部１１を介して、検索結果表示画面５５に表示されたプロファイルを選択することができる。プロファイルを選択した場合、例えば、図５の説明で後述するプロファイル詳細情報表示画面６７に選択結果が反映される。
【００３６】
検索条件入力画面５７は、プロファイルの検索条件を入力する画面である。配置されるボタン等は、例えば、検索条件を選択する検索条件選択ボタン５９、近似値検索のロジックを選択する近似値検索のロジック選択ボタン６１、ファイル名、またはファイル名の検索キーワードを入力するファイル名テキストボックス６２、コメントの検索キーワードを入力するコメントテキストボックス６３、拡張コメントの検索キーワードを入力する拡張コメントテキストボックス６４、検索実行命令を入力する検索実行ボタン６５等である。尚、前述した検索結果表示画面５５でプロファイルが選択された場合、選択結果がファイル名テキストボックス６２、コメントテキストボックス６３、拡張コメントテキストボックス６４に反映されるようにしても良い。
図４は、検索条件選択ボタン５９の「絞込み検索」を選択し、ファイル名のテキストボックス６２に「ＰＲＯ」を入力し、検索実行ボタン６５を押下した後の画面表示例となっている。図４に示すように、本実施の形態では、任意に入力された文字列である検索キーワードを用いて、例えば、ファイル名の全て、または一部が合致するプロファイルを検索する。また、例えば、コメントや拡張コメントの全て、または一部が合致するプロファイルを検索する。
尚、図４に示すプロファイル選択画面５１は、本実施の形態に限るものではなく、後述する実施の形態でも用いられる。
【００３７】
次に、入力部１１を介して、検索ロジック選択情報と検索文字列情報が入力されると（ステップ９２）、検索処理を行うため、ステップ９３に進む。
【００３８】
次に、制御部３は、検索文字列情報を用いてプロファイルを検索する（ステップ９３）。プロファイルの検索は、図４の説明にて前述した通りである。
【００３９】
次に、制御部３は、検索されたプロファイルのファイル名を表示する(ステップ９４)。
【００４０】
図５に示すように、プロファイル詳細情報表示画面６７には、プロファイルの詳細情報に加えて、表示されているプロファイルの適用命令を入力する適用実行ボタン６９が表示される。
詳細情報の表示領域は、プロファイルのファイル名を表示するファイル名表示領域７０、作成日を表示する作成日表示領域７１、コメントを表示するコメント表示領域７２、拡張コメントを表示する拡張コメント表示領域７３等である。表される情報は、前述した検索結果表示画面５５で選択されたプロファイルの情報である。
尚、プロファイル詳細情報表示画面６７は、図４に示されるプロファイル選択画面５１の一部として表示しても良いし、別画面領域に表示しても良い。
また、図５に示すプロファイル詳細情報表示画面６７は、本実施の形態に限るものではなく、後述する実施の形態でも用いられる。
【００４１】
次に、入力部１１を介して、適用プロファイル選択情報が入力されると（ステップ９５）、制御部３は、入力された選択情報に対応するプロファイルを適用して画像を表示する（ステップ９６）。
【００４２】
以上、詳細に説明したように、第１の実施の形態によれば、任意に入力された文字列を用いてプロファイルの検索を行い、プロファイルの識別情報としてのファイル名を検索結果表示画面５５に表示する。そして、入力された適用プロファイル選択情報に対応するプロファイルを適用して画像を表示する。
【００４３】
第１の実施の形態によって、作業者は、プロファイルの識別情報としてのファイル名、コメント、拡張コメント等からプロファイルを検索し、画像に適用することができる。特に、プロファイルを作成した際、プロファイルの詳細情報をコメントや拡張コメント等として入力しておくことで、プロファイルの詳細情報から所望のプロファイルを検索し、画像に適用することができる。
【００４４】
次に、第２の実施形態を詳細に説明する。
図１は、本実施の形態に係るプロファイル利用支援装置１ａを実現するコンピュータのハードウェア構成図である。
ハードウェア構成は第１の実施形態における説明と同様であるため、以下の実施の形態において説明を省略する。
【００４５】
次に、図６を参照しながら、プロファイル利用支援装置１ａの構成について説明する。
図６は、プロファイル利用支援装置１ａの概略構成図である。
以下の実施の形態において、図２に示す構成要素と同一の機能を果たす要素には、同一の番号を付し、重複した説明を避ける。
【００４６】
プロファイル利用支援装置１ａは、プロファイルデータベース２１、プロファイル選択画面表示手段２３、選択情報入力手段２５、第１の色差算出手段２７、プロファイル整列手段２９、識別情報表示手段３１、第１の画像表示手段３３等を備える。
【００４７】
第１の色差算出手段２７は、プロファイルデータベース２１を参照し、プロファイル群の中から任意に選択された第１のプロファイルを適用して再現される色と、プロファイル群の中から第１のプロファイルを除いた第２のプロファイルを適用して再現される色との、色差を算出する。
色差とは、前述した色空間（L*a*b*）で表現された２つの色の差をいい、次に示す数式で算出する。
【数１】
2011254559.tif 000003
ただし、△Ｅ：色差、Ｌ１：第１のプロファイルを適用して再現される色のＬ*値、ａ１：第１のプロファイルを適用して再現される色のａ*値、ｂ１：第１のプロファイルを適用して再現される色のｂ*値、Ｌ２：第２のプロファイルを適用して再現される色のＬ*値、ａ２：第２のプロファイルを適用して再現される色のａ*値、ｂ２：第２のプロファイルを適用して再現される色のｂ*値である。
△Ｅの数値が小さいほど色差が少ないことを示す。例えば、両者の色を隣接して比較する場合、△Ｅが１程度であれば、ほとんどの人がその色差を認めることができる。
ここで、例えば、印刷に用いられるインキユニットがＵ１、Ｕ２、Ｕ３の３つの場合に、色差算出対象の色について説明する。
例えば、第１のプロファイルを適用して再現されるＵ１の１００％の色と、第２のプロファイルを適用して再現されるＵ１の１００％の色との色差を算出する。同様に、Ｕ２の１００％の色同士、Ｕ３の１００％の色同士の色差を算出し、３色の色差を算出する。
また、例えば、第１のプロファイルを適用して再現されるＵ１とＵ２とＵ３の５０％ずつを掛け合わせた色と、第２のプロファイルを適用して再現されるＵ１とＵ２とＵ３の５０％ずつを掛け合わせた色との色差を算出する。
２つの例で示したように、色差算出対象は、複数色であっても良いし、１色であっても良い。
尚、色差算出対象の色は、ここに述べた例に限定されないことは言うまでもない。
【００４８】
プロファイル整列手段２９は、色差に応じた所定の並び順に従い、第２のプロファイルを整列する。例えば、第１のプロファイルと色合いが近い順に整列する場合、色差が小さい順に整列する。整列のアルゴリズムは複数のものが知られているが、色差に応じた所定の並び順に整列を行うことができれば、いずれのアルゴリズムに従っても良い。
【００４９】
次に、図７から図９を参照しながら、プロファイル利用支援装置１ａの動作の詳細について説明する。
【００５０】
図７は、プロファイル利用支援装置１ａの処理手順を示すフローチャートである。
図８は、検索条件入力画面５７の一例を示す図である。
図９は、色差算出の一例を示す模式図である。
【００５１】
図７に示すように、入力部１１を介して、プロファイル選択画面５１の表示命令情報が入力されると、制御部３は、プロファイル選択画面５１を表示する（ステップ１０１）。
【００５２】
次に、入力部１１を介して、プロファイル選択情報が入力されると（ステップ１０２）、制御部３は、入力された選択情報に対応する第１のプロファイルの詳細情報を表示する（ステップ１０３）。
尚、第１のプロファイルは、例えば、前述した第１の実施形態によって検索した中から選択しても良いし、他の実施形態によって検索した中から選択しても良い。
【００５３】
次に、入力部１１を介して、検索ロジック選択情報が入力されると（ステップ１０４）、検索処理を行うため、ステップ１０５に進む。
【００５４】
図８に示すように、検索条件入力画面５７において、例えば、作業者が、検索条件選択ボタン５９の「近似値検索」を選択し、近似値検索のロジック選択ボタン６１の「１：近似色」を選択し、ファイル名テキストボックス６２に「ＰＲＯＦＩＬＥ００１．ｉｃｃ」を入力し、検索実行ボタン６５を押下すると、入力部１１を介して、検索ロジック選択情報が入力される。そして、制御部３は、ファイル名が「ＰＲＯＦＩＬＥ００１．ｉｃｃ」のプロファイルを第１のプロファイルとし、近似値検索のロジックが「１：近似色」の検索処理を開始する。
【００５５】
次に、制御部３は、色差算出対象の第２のプロファイルを決定する（ステップ１０５）。例えば、プロファイルデータベース２１が保持するプロファイル群の中から、ファイル名の名前順で決定していく。尚、各プロファイルは、複数（通常は３個から５個）のインキで印刷された印刷の色情報が含まれているが、同じインキの数のプロファイルのみを対象とすることが望ましい。例えば、３色で印刷された印刷物から作成したプロファイルを第１のプロファイルとして選択した場合、プロファイル群の中から３色で印刷された印刷物から作成したプロファイルのみを第２のプロファイルとする。
ただし、例えば、４色で印刷された印刷物から作成したプロファイルを第２のプロファイルとすることで、３色で印刷された印刷物の色に最も近い４色で印刷された印刷物を検索することもできる。この場合、後述する色差算出処理では、第１のプロファイルを適用して再現される３色の５０％ずつを掛け合わせた色と、第２のプロファイルを適用して再現される４色の５０％ずつを掛け合わせた色との色差を算出しても良い。
【００５６】
次に、制御部３は、色差を算出し、保持する（ステップ１０６）。色差の算出は、前述した数１に示す数式に従って行う。
尚、Ｌ*値、ａ*値、ｂ*値の各パラメータ値は、プロファイルデータベース２１を参照する。また、算出結果の保持は、例えば、第２のプロファイルのファイル名とともに、ＲＡＭに格納する。
【００５７】
次に、制御部３は、全ての第２のプロファイルについて処理が終了したか確認する（ステップ１０７）。
処理が終了していない場合、ステップ１０５から繰り返す。
処理が終了している場合、ステップ１０８に進む。  
【００５８】
次に、制御部３は、色差に応じた所定の並び順に従い、第２のプロファイルを整列する(ステップ１０８)。
【００５９】
図９では、図８に示した検索ロジック選択情報に対応する色差算出の一例を示している。図９に示すように、制御部３は、第１のプロファイルを適用して再現される色の色空間パラメータの座標８１と第２のプロファイルを適用して再現される色の色空間パラメータの座標８２との２点間の距離を算出する。ここで、△ａ*軸は、原点を８１のａ*値とし、８２のａ*値との相対値を示している。すなわち、８１のａ*値よりも８２のａ*値が大きい場合、８２は△ａ*軸のプラス方向に位置し、８１のａ*値よりも８２のａ*値が小さい場合、８２は△ａ*軸のマイナス方向に位置することになる。また、△ｂ*軸も同様である。
尚、図９には△Ｌ*軸を図示していないが、実際には、３次元空間の距離を考えることになる。
近似値検索のロジックが「１：近似色」の検索処理の場合、第１のプロファイルを適用して再現される色の色空間パラメータの座標８１からの距離が小さい順に第２のプロファイルを整列することになる。但し、３色で印刷された印刷物から作成したプロファイルを第１のプロファイルとして選択した場合、例えば、３色の色差を算出したとすると、３色の色差の和をプロファイル同士の距離と考える。
【００６０】
次に、制御部３は、整列された順に、第２のプロファイルの識別情報としてのファイル名を検索結果表示画面５５に表示する（ステップ１０９）。このとき、△Ｅの値や、近似の順位を合わせて表示しても良い。
【００６１】
次に、入力部１１を介して、適用プロファイル選択情報が入力されると（ステップ１１０）、制御部３は、入力された選択情報に対応する第２のプロファイルを適用して画像を表示する（ステップ１１１）。
【００６２】
以上、詳細に説明したように、第２の実施の形態によれば、プロファイル群の中から任意に選択された第１のプロファイルを適用して再現される色と、第１のプロファイルを除いた第２のプロファイルを適用して再現される色との、色差を算出し、算出した色差に応じて第２のプロファイルを整列し、整列された並び順に、第２のプロファイルの識別情報としてのファイル名を検索結果表示画面５５に表示する。そして、入力された適用プロファイル選択情報に対応する第２のプロファイルを適用して画像を表示する。
【００６３】
第２の実施の形態によって、例えば、色差の小さい順に第２のプロファイルを整列すると、作業者は、第１のプロファイルに近似した色合いを持つ第２のプロファイルを適用することが容易となる。換言すると、第１のプロファイルを適用した画像の色合いに近似したものを表示したい場合、作業者は、検索結果表示画面５５の先頭に表示されたファイル名を選択することで、プロファイルデータベース２１が保持するプロファイル群の中から、所望のプロファイルを適用することができる。
尚、色差の小さい順に第２のプロファイルを整列する例を用いて、第１の実施の形態を説明したが、色差の大きい順に整列しても良いことは言うまでもない。色差の大きい順に整列すると、第１のプロファイルを適用した画像の色合いと大きく異なるものを表示したい場合、作業者は、検索結果表示画面５５の先頭に表示されたファイル名を選択すれば良い。
【００６４】
次に、第３の実施形態を詳細に説明する。
図１は、本実施の形態に係るプロファイル利用支援装置１ｂを実現するコンピュータのハードウェア構成図である。
【００６５】
次に、図１０を参照しながら、プロファイル利用支援装置１ｂの構成について説明する。
図１０は、プロファイル利用支援装置１ｂの概略構成図である。
【００６６】
プロファイル利用支援装置１ｂは、プロファイルデータベース２１、プロファイル選択画面表示手段２３、選択情報入力手段２５、色空間パラメータ変換手段３５、第２の色差算出手段３７、プロファイル抽出手段３９、識別情報表示手段３１、第１の画像表示手段３３等を備える。
【００６７】
色空間パラメータ変換手段３５は、プロファイル群の中から任意に選択された第１のプロファイルを適用して再現される色の色空間パラメータを所定の変換式で変換する。変換式は、例えば、１つのパラメータ値をプラス方向に一定の値だけ変換する式、またはマイナス方向に一定の値だけ変換する式等である。詳細は、図１４と図１５の説明にて後述する。
【００６８】
第２の色差算出手段３７は、プロファイルデータベース２１を参照し、変換された色空間パラメータを用いて、第１のプロファイルを適用して再現される色と、前記プロファイル群の中から第１のプロファイルを除いた第２のプロファイルを適用して再現される色との、色差または修正色差を算出する。
修正色差とは、色差の算出式を一部修正して算出した色差であり、次の数２から数４に示す数式で算出する。
【数２】
2011254559.tif 000004
【数３】
2011254559.tif 000005
【数４】
2011254559.tif 000006
ただし、△Ｅ：色差、Ｌ１：第１のプロファイルを適用して再現される色のＬ*値、ａ１：第１のプロファイルを適用して再現される色のａ*値、ｂ１：第１のプロファイルを適用して再現される色のｂ*値、Ｌ２：第２のプロファイルを適用して再現される色のＬ*値、ａ２：第２のプロファイルを適用して再現される色のａ*値、ｂ２：第２のプロファイルを適用して再現される色のｂ*値、Ｒ：修正係数である。
色差算出対象は、第２の実施形態の説明で前述したように、複数色であっても良いし、１色であっても良い。また、色差算出対象の色は、第２の実施形態の説明で前述した例に相当する色であっても良いし、他の色であっても良い。
【００６９】
プロファイル抽出手段３９は、算出された色差または修正色差に応じて第２のプロファイルを抽出する。詳細は、図１４と図１５の説明にて後述する。
【００７０】
次に、図１１から図１５を参照しながら、プロファイル利用支援装置１ｂの動作の詳細について説明する。
【００７１】
図１１は、プロファイル利用支援装置１ｂの処理手順を示すフローチャートである。
図１２と図１３は、検索条件入力画面５７の一例を示す図である。
図１４と図１５は、第２のプロファイルの抽出範囲８３の一例を示す模式図である。
【００７２】
図１１に示すように、入力部１１を介して、プロファイル選択画面５１の表示命令情報が入力されると、制御部３は、プロファイル選択画面５１を表示する（ステップ２０１）。
【００７３】
次に、入力部１１を介して、プロファイル選択情報が入力されると（ステップ２０２）、制御部３は、入力された選択情報に対応する第１のプロファイルの詳細情報を表示する（ステップ２０３）。
尚、第１のプロファイルは、例えば、前述した第１の実施形態によって検索した中から選択しても良いし、他の実施形態によって検索した中から選択しても良い。
【００７４】
次に、入力部１１を介して、検索ロジック選択情報が入力されると（ステップ２０４）、検索処理を行うため、ステップ２０５に進む。
【００７５】
図１２に示すように、検索条件入力画面５７において、例えば、作業者が、検索条件選択ボタン５９の「近似値検索」を選択し、近似値検索のロジック選択ボタン６１の「２：バリエーション（近い）」を選択し、ファイル名テキストボックス６２に「ＰＲＯＦＩＬＥ００１．ｉｃｃ」を入力し、検索実行ボタン６５を押下すると、入力部１１を介して、検索ロジック選択情報が入力される。そして、制御部３は、ファイル名が「ＰＲＯＦＩＬＥ００１．ｉｃｃ」のプロファイルを第１のプロファイルとし、近似値検索のロジックが「２：バリエーション（近い）」の検索処理を開始する。
【００７６】
また、図１３に示すように、検索条件入力画面５７において、例えば、作業者が、検索条件選択ボタン５９の「近似値検索」を選択し、近似値検索のロジック選択ボタン６１の「３：バリエーション（遠い）」を選択し、ファイル名テキストボックス６２に「ＰＲＯＦＩＬＥ００１．ｉｃｃ」を入力し、検索実行ボタン６５を押下すると、入力部１１を介して、検索ロジック選択情報が入力される。そして、制御部３は、ファイル名が「ＰＲＯＦＩＬＥ００１．ｉｃｃ」のプロファイルを第１のプロファイルとし、近似値検索のロジックが「３：バリエーション（遠い）」の検索処理を開始する。
【００７７】
次に、制御部３は、検索式を決定する（ステップ２０５）。検索式は、色空間パラメータの変換に用いる変換式と、色差または修正色差を算出する算出式の両方を含めたものを意味する。検索式については、図１４と図１５の説明にて後述する。
【００７８】
次に、制御部３は、第１のプロファイルを適用して再現される色の色空間パラメータの少なくとも一つを変換する（ステップ２０６）。
【００７９】
次に、制御部３は、色差算出対象の第２のプロファイルを決定する（ステップ２０７）。例えば、プロファイルデータベース２１が保持するプロファイル群の中から、ファイル名の名前順で決定していく。尚、第２の実施形態の説明で前述したように、各プロファイルは、複数（通常は３個から５個）のインキで印刷された印刷の色情報が含まれているが、同じインキの数のプロファイルのみを対象とすることが望ましい。
ただし、例えば、４色で印刷された印刷物から作成したプロファイルを第２のプロファイルとすることで、３色で印刷された印刷物の色に最も近い、または最も遠い４色で印刷された印刷物を検索することもできる。
【００８０】
次に、制御部３は、色差または修正色差を算出し、保持する（ステップ２０８）。色差または修正色差の算出は、前述した数１から数４に示す数式に従って行う。
尚、Ｌ*値、ａ*値、ｂ*値の各パラメータ値は、プロファイルデータベース２１を参照する。また、算出結果の保持は、例えば、第２のプロファイルのファイル名とともに、ＲＡＭに格納する。
【００８１】
次に、制御部３は、全ての第２のプロファイルについて処理が終了したか確認する（ステップ２０９）。
処理が終了していない場合、ステップ２０７から繰り返す。
処理が終了している場合、ステップ２１０に進む。
【００８２】
次に、制御部３は、算出された色差または修正色差に応じて第２のプロファイルを抽出する（ステップ２１０）。
【００８３】
図１４では、図１２に示した検索ロジック選択情報に対応する第２のプロファイルの抽出範囲８３を示している。第２のプロファイルの抽出範囲８３は、第１のプロファイルを適用して再現される色の色空間パラメータの座標８１を変換した第１のプロファイルを適用して再現される色の色空間パラメータの変換後の座標８５からの距離に応じて決定される。
ここで、△ａ*軸は、原点を８１のａ*値とし、８５のａ*値との相対値を示している。すなわち、８１のａ*値よりも８５のａ*値が大きい場合、８５は△ａ*軸のプラス方向に位置し、８１のａ*値よりも８５のａ*値が小さい場合、８５は△ａ*軸のマイナス方向に位置することになる。また、△ｂ*軸も同様である。
図１２に示した検索ロジック選択情報に対応する検索式は、（１）第１のプロファイルを適用して再現される色のａ*値を所定の値だけプラス方向にシフト変換し、数１に従って、第２のプロファイルを適用して再現される色との色差を算出、（２）第１のプロファイルを適用して再現される色のａ*値を所定の値だけマイナス方向にシフト変換し、数１に従って、第２のプロファイルを適用して再現される色との色差を算出、（３）第１のプロファイルを適用して再現される色のｂ*値を所定の値だけプラス方向にシフト変換し、数１に従って、第２のプロファイルを適用して再現される色との色差を算出、（４）第１のプロファイルを適用して再現される色のｂ*値を所定の値だけマイナス方向にシフト変換し、数１に従って、第２のプロファイルを適用して再現される色との色差を算出、（５）第１のプロファイルを適用して再現される色のＬ*値を所定の値だけプラス方向にシフト変換し、数１に従って、第２のプロファイルを適用して再現される色との色差を算出、（６）第１のプロファイルを適用して再現される色のＬ*値を所定の値だけマイナス方向にシフト変換し、数１に従って、第２のプロファイルを適用して再現される色との色差を算出、の６つとなる。
尚、図１４にはＬ*軸を図示していないため、上述の（５）と（６）に対応する第１のプロファイルを適用して再現される色の色空間パラメータの変換後の座標８５と第２のプロファイルの抽出範囲８３が図示されていないことになる。  
そして、例えば、検索式ごとに色差の和が最も小さい第２のプロファイルを抽出する。
【００８４】
図１５では、図１３に示した検索ロジック選択情報に対応する第２のプロファイルの抽出範囲８３を示している。第２のプロファイルの抽出範囲８３は、第１のプロファイルを適用して再現される色の色空間パラメータの座標８１を変換した第１のプロファイルを適用して再現される色の色空間パラメータの変換後の座標８５からの距離に応じて決定される。
ここで、△ａ*軸と△ｂ*軸は、前述した図１４の説明と同様である。
図１３に示した検索ロジック選択情報に対応する検索式は、（１）第１のプロファイルを適用して再現される色のａ*値を所定の値だけプラス方向にシフト変換し、数２に従って、第２のプロファイルを適用して再現される色との修正色差を算出、（２）第１のプロファイルを適用して再現される色のａ*値を所定の値だけマイナス方向にシフト変換し、数２に従って、第２のプロファイルを適用して再現される色との修正色差を算出、（３）第１のプロファイルを適用して再現される色のｂ*値を所定の値だけプラス方向にシフト変換し、数３に従って、第２のプロファイルを適用して再現される色との修正色差を算出、（４）第１のプロファイルを適用して再現される色のｂ*値を所定の値だけマイナス方向にシフト変換し、数３に従って、第２のプロファイルを適用して再現される色との修正色差を算出、（５）第１のプロファイルを適用して再現される色のＬ*値を所定の値だけプラス方向にシフト変換し、数４に従って、第２のプロファイルを適用して再現される色との修正色差を算出、（６）第１のプロファイルを適用して再現される色のＬ*値を所定の値だけマイナス方向にシフト変換し、数４に従って、第２のプロファイルを適用して再現される色との修正色差を算出、の６つとなる。
尚、図１５にはＬ*軸を図示していないため、上述の（５）と（６）に対応する第１のプロファイルを適用して再現される色の色空間パラメータの変換後の座標８５と第２のプロファイルの抽出範囲８３が図示されていないことになる。
そして、例えば、検索式ごとに修正色差の和が最も小さい第２のプロファイルを抽出する。
【００８５】
次に、制御部３は、全ての検索式について処理が終了したか確認する（ステップ２１１）。
処理が終了していない場合、ステップ２０５から繰り返す。
処理が終了している場合、ステップ２１２に進む。
【００８６】
次に、制御部３は、抽出された第２のプロファイルの識別情報としてのファイル名を検索結果表示画面５５に表示する（ステップ２１２）。
【００８７】
次に、入力部１１を介して、適用プロファイル選択情報が入力されると（ステップ２１３）、制御部３は、入力された選択情報に対応する第２のプロファイルを適用して画像を表示する（ステップ２１４）。
【００８８】
以上、詳細に説明したように、第３の実施の形態によれば、プロファイル群の中から任意に選択された第１のプロファイルに対して、各検索式に従い、第１のプロファイルを適用して再現される色の色空間パラメータを変換し、第２のプロファイルを適用して再現される色との色差または修正色差を算出し、算出した色差または修正色差に応じて第２のプロファイルを抽出し、抽出した第２のプロファイルの識別情報としてのファイル名を検索結果表示画面５５に表示する。そして、入力された適用プロファイル選択情報に対応する第２のプロファイルを適用して画像を表示する。
【００８９】
第３の実施の形態によって、例えば、近似値検索のロジックを「２：バリエーション（近い）」として検索を行うと、作業者は、第１のプロファイルを適用して再現される色に近い色相の第２のプロファイルを抽出し、その中から所望のプロファイルを適用することが容易となる。また、例えば、近似値検索のロジックを「３：バリエーション（遠い）」として検索を行うと、作業者は、第１のプロファイルとは異なる色相を持つ第２のプロファイルを抽出し、その中から所望のプロファイルを適用することが容易となる。
【００９０】
次に、第４の実施形態を詳細に説明する。
図１は、本実施の形態に係るプロファイル利用支援装置１ｃを実現するコンピュータのハードウェア構成図である。
【００９１】
次に、図１６を参照しながら、プロファイル利用支援装置１ｃの構成について説明する。
図１６は、プロファイル利用支援装置１ｃの概略構成図である。
【００９２】
プロファイル利用支援装置１ｃは、プロファイルデータベース２１、プロファイル選択画面表示手段２３、選択情報入力手段２５、色玉表示手段４１、第１の画像表示手段３３等を備える。
【００９３】
色玉表示手段４１は、プロファイルデータベース２１を参照し、色玉表示画面にてプロファイルを適用して再現される色玉を表示する。色玉とは、一般には、印刷物の外側に配置される各インキの色の玉であり、インキの濃度管理等に用いられるものである。ここでは、色玉は、プロファイル情報からインキの測色値を参照し、画面上に色再現されたもの（円、楕円、矩形等、形状は問わない）を指す。なお、プロファイルを用いた色再現の仕組みは既知であるため、詳細な説明を省略する。色玉表示画面の詳細は、図１６の説明にて後述する。
【００９４】
次に、図１７と図１８を参照しながら、プロファイル利用支援装置１ｃの動作の詳細について説明する。
【００９５】
図１７は、プロファイル利用支援装置１ｃの処理手順を示すフローチャートである。
図１８は、色玉表示画面７５の一例を示す図である。
【００９６】
図１７に示すように、入力部１１を介して、プロファイル選択画面５１の表示命令情報が入力されると、制御部３は、プロファイル選択画面５１を表示する（ステップ３０１）。
【００９７】
次に、入力部１１を介して、プロファイル選択情報が入力されると（ステップ３０２）、制御部３は、入力された選択情報に対応するプロファイルを適用した色玉を表示する（ステップ３０３）。
尚、プロファイルは、例えば、前述した第１の実施形態から第３の実施形態のいずれかによって検索した中から選択しても良いし、他の実施形態によって検索した中から選択しても良い。
【００９８】
図１８に示すように、色玉表示画面７５では、インキユニットであるＵ１、Ｕ２、Ｕ３、Ｕ４と、紙色であるべたとの５色の色玉を色玉表示領域７７に表示する。但し、インキユニットが３色の場合、未使用のインキユニットには何も表示されない。また、色玉に対応するパラメータ値であるＬ*値、ａ*値、ｂ*値をパラメータ値表示領域７９に表示することが望ましい。
尚、色玉表示画面７５は、図４に示されるプロファイル選択画面５１の一部として表示しても良いし、別画面領域に表示しても良い。
【００９９】
次に、入力部１１を介して、適用プロファイル選択情報が入力されると（ステップ３０４）、制御部３は、入力された選択情報に対応するプロファイルを適用して画像を表示する（ステップ３０５）。
尚、適用プロファイル選択情報の入力のため、色玉表示画面７５に適用ボタンを配置しても良い。
【０１００】
以上、詳細に説明したように、第４の実施の形態によれば、プロファイル群の中から任意に選択されたプロファイルを適用して色玉を表示する。そして、入力された適用プロファイル選択情報に対応するプロファイルを適用して画像を表示する。
【０１０１】
第４の実施の形態によって、作業者は、色玉の色合いを参考にして、所望のプロファイルを適用することができる。
【０１０２】
次に、第５の実施形態を詳細に説明する。
図１は、本実施の形態に係るプロファイル利用支援装置１ｄを実現するコンピュータのハードウェア構成図である。
【０１０３】
次に、図１９を参照しながら、プロファイル利用支援装置１ｄの構成について説明する。
図１９は、プロファイル利用支援装置１ｄの概略構成図である。
【０１０４】
プロファイル利用支援装置１ｄは、プロファイルデータベース２１、プロファイル選択画面表示手段２３、選択情報入力手段２５、プロファイル検索手段４３、第２の画像表示手段４５等を備える。
【０１０５】
プロファイル検索手段４３は、プロファイルデータベース２１で保持されたプロファイル群の中から所定の条件でプロファイルを検索する。ここで、所定の条件とは、第１の実施形態の説明で前述した文字列を用いた検索条件や、第２の実施形態と第３の実施形態の説明で前述した色差または修正色差を用いた検索条件等である。
【０１０６】
第２の画像表示手段４５は、プロファイルの識別情報が複数選択されると、対応する複数のプロファイルを適用した任意の画像を同時に表示する。ここで、画像を同時に表示するために、選択情報が入力された際は、既に画面領域が割り当てられている画像はそのまま表示し、選択されたプロファイルを適用した画像を新たな画面領域に表示する。
【０１０７】
次に、図２０を参照しながら、プロファイル利用支援装置１ｄの動作の詳細について説明する。
【０１０８】
図２０は、プロファイル利用支援装置１ｄの処理手順を示すフローチャートである。
【０１０９】
図２０に示すように、入力部１１を介して、プロファイル選択画面５１の表示命令情報が入力されると、制御部３は、プロファイル選択画面５１を表示する（ステップ４０１）。
【０１１０】
次に、入力部１１を介して、検索ロジック選択情報が入力されると（ステップ４０２）、制御部３は、入力された選択情報に対応する検索手段でプロファイルを検索し、検索結果としてプロファイルの識別情報としてのファイル名を検索結果表示画面５５に表示する（ステップ４０３）。
尚、プロファイルの検索は、例えば、前述した第１の実施形態から第３の実施形態のいずれかによるものであっても良いし、他の実施形態であっても良い。
【０１１１】
次に、入力部１１を介して、適用プロファイル選択情報が入力されると（ステップ４０４）、制御部３は、入力された選択情報に対応するプロファイルを適用して画像を表示する（ステップ４０５）。この際、既に画面領域が割り当てられている画像はそのまま表示し、新たな画面領域に画像を表示する。
【０１１２】
次に、制御部３は、プロファイルの選択が終了したか確認する（ステップ４０６）。
選択が終了していない場合、ステップ４０４から繰り返す。
選択が終了している場合、終了する。
【０１１３】
以上、詳細に説明したように、第５の実施の形態によれば、プロファイル群の中から所定の条件で検索したプロファイルの識別情報を表示する。そして、入力された適用プロファイル選択情報に対応するプロファイルを適用して画像を表示する。この際、既に画面領域が割り当てられている画像はそのまま表示し、新たな画面領域に画像を表示する。
【０１１４】
第５の実施の形態によって、作業者は複数のプロファイルを適用した画像を画面上で比較検討することができる。
【０１１５】
尚、図３、図７、図１１、図１７、図２０に示す処理を行うプログラムは、ＣＤ−ＲＯＭ等の記録媒体に保持させて流通させても良いし、通信回線を介して送受信することもできる。
【０１１６】
以上、添付図面を参照しながら、本発明に係るプロファイル利用支援装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１７】
１………プロファイル利用支援装置
３………制御部
５………記憶部
７………メディア入出力部
９………通信制御部
１１………入力部
１３………表示部
１５………周辺機器Ｉ／Ｆ部
１７………バス
１９………ネットワーク部
５１………プロファイル選択画面
５３………画像ファイル名
５５………検索結果表示画面
５７………検索条件入力画面
５９………検索条件選択ボタン
６１………近似値検索のロジック選択ボタン
６２………ファイル名テキストボックス
６３………コメントテキストボックス
６４………拡張コメントテキストボックス
６５………検索実行ボタン
６７………プロファイル詳細情報表示画面
６９………適用実行ボタン
７０………ファイル名表示領域
７１………作成日表示領域
７２………コメント表示領域
７３………拡張コメント表示領域
７５………色玉表示画面
７７………色玉表示領域
７９………パラメータ値表示領域
８１………第１のプロファイルを適用して再現される色の色空間パラメータの座標
８２………第２のプロファイルを適用して再現される色の色空間パラメータの座標
８３………第２のプロファイルの抽出範囲
８５………第１のプロファイルを適用して再現される色の色空間パラメータの変換後の座標
【図１】
2011254559.tif 000007
【図２】
2011254559.tif 000008
【図３】
2011254559.tif 000009
【図４】
2011254559.tif 000010
【図５】
2011254559.tif 000011
【図６】
2011254559.tif 000012
【図７】
2011254559.tif 000013
【図８】
2011254559.tif 000014
【図９】
2011254559.tif 000015
【図１０】
2011254559.tif 000016
【図１１】
2011254559.tif 000017
【図１２】
2011254559.tif 000018
【図１３】
2011254559.tif 000019
【図１４】
2011254559.tif 000020
【図１５】
2011254559.tif 000021
【図１６】
2011254559.tif 000022
【図１７】
2011254559.tif 000023
【図１８】
2011254559.tif 000024
【図１９】
2011254559.tif 000025
【図２０】
2011254559.tif 000026